(57)【特許請求の範囲】
【請求項１】
前面側に開口を有する筐体の開口周縁枠の内側が後方へ落ち込んだ段部を有し、筐体の開口を密閉する扉の閉鎖時に、扉の周縁が開口周縁枠の段部内に納まるように構成されるものにおける扉のハンドル装置であって、
前記筐体の開口周縁枠の段部に取り付けられる受け金具と、前記扉の閉鎖時に受け金具に対して係合離脱自在に対向するように扉の周縁部に取り付けられる本体と、を具備し、
前記受け金具は、前記筐体の段部内側面と閉鎖時における前記扉の外側面との間隙内に納まるように配置され、当該段部内側面に固着される基板と、この基板から直角に支持軸が起立する係合ローラと、基板の前縁から直角に起立する当接片と、を具備し、
前記本体は、前記扉の周縁部の外側面に固着されるほぼ平板状の取り付け座と、この取り付け座に筐体の前面と平行な枢軸により枢着され締め付け位置と解放位置の間を回動自在のハンドル体と、を具備し、
前記ハンドル体は、前記筐体の段部内側面と閉鎖時における前記扉の外側面との間隙内において前記枢軸を中心に回動可能なほぼ平板状のレバー部と、このレバー部に対して直角に屈折し締め付け位置において扉の前面にほぼ平行に近接するほぼ平板状の把手部とを具備し、
前記ハンドル体のレバー部は、締め付け方向への回動途上で前記受け金具の係合ローラに係合して相対的にこれを引き寄せる鎌部と、解放方向への回動途上で受け金具の前記当接片を押して相対的にこれを押し離す押し出し突部と、を具備することを特徴とする筐体の密閉扉用ハンドル装置。
【請求項２】
前記ハンドル体の把手部は、締め付け位置において扉の前面から離れる方向へ屈折する指掛け部を上縁部に具備することを特徴とする請求項１に記載の筐体の密閉扉用ハンドル装置。
【請求項３】
前記ハンドル体の把手部は、指掛け用の開口を具備することを特徴とする請求項１又は２に記載の筐体の密閉扉用ハンドル装置。
【発明の詳細な説明】
【技術分野】
【０００１】
本発明は、冷蔵庫やスチームオーブン、試験装置等の筐体の開口を密閉する扉を開閉操作するためのハンドル装置に関する。
【背景技術】
【０００２】
従来、この種の扉用のハンドル装置として、例えば特許文献１に記載された密閉ハンドル装置が知られている。この密閉ハンドル装置では、扉を閉めるときに、扉と固定枠体（筐体）との間に介在されるパッキンを圧縮し、操作ハンドルを回動操作することにより、ロックレバーを受座に係合させて、パッキンの圧縮状態を保持し、扉を固定枠体に密閉するようになっている。受座は、筐体の側面に取付ねじで固着され、またハンドルの固定ベースは、扉の側面に、受座に対向するように取付ねじで固着される。したがって、ハンドルの固定ベースも受座も外部に露出する。
【先行技術文献】
【特許文献】
【０００３】
【特許文献１】特開２００９−１８５５３４号公報
【発明の概要】
【発明が解決しようとする課題】
【０００４】
本発明は、ハンドルの取り付け座が、筐体の開口周縁枠の段部の内側面に、また受け金具が、扉の外側面にそれぞれ面付けでき、しかも両者が、扉の閉鎖時に、段部の内側面と扉の外側面との間隙内に納まって、外部に露出しない筐体の密閉扉用ハンドル装置を提供することを目的としている。
【課題を解決するための手段】
【０００５】
以下、添付図面の符号を参照して説明するが、本発明はこれに限定されるものではない。
上記課題を解決するための、本発明のハンドル装置１は、筐体２１の開口周縁枠２３の段部２４に取り付けられる受け金具２と、扉２５の閉鎖時に受け金具２に対して係合離脱自在に対向するように扉２５の周縁部に取り付けられる本体３とを具備する。受け金具２は、基板４、係合ローラ５、当接片６を具備し、筐体２１の段部２４の内側面２４ａと閉鎖状態の扉２５の外側面２５ａとの間隙２６内に納まるように配置される。基板４は、段部２４の内側面２４ａに固着される。係合ローラ５の支持軸５ａは、基板４から直角に起立する。当接片６は、基板４の前縁から直角に起立する。本体３は、取り付け座７とハンドル体８とを具備する。取り付け座７は、ほぼ平板状で、扉２５の周縁部の外側面２５ａに固着される。ハンドル体８は、筐体２１の前面と平行な枢軸９により、取り付け座７に枢着され、締め付け位置と解放位置の間を回動自在であり、レバー部１０と把手部１１とを具備する。レバー部１０は、平板状で、鎌部１２と押し出し突部１３とを具備し、筐体２１の段部２４の内側面２４ａと閉鎖状態の扉２５の外側面２５ａとの間隙２６内において枢軸９を中心に回動可能である。鎌部１２は、ハンドル体８が締め付け方向へ回動する途上で受け金具２の係合ローラ５に係合し、相対的に係合ローラ５を引き寄せる。押し出し突部１３は、ハンドル体８が解放方向への回動する途上で、受け金具２の当接片６を押し、相対的に当接片６を押し離す。把手部１１は、レバー部１０に対して直角に屈折するほぼ平板状で、ハンドル体８の締め付け位置において、扉２５の前面にほぼ平行に近接する。
【発明の効果】
【０００６】
本発明は、ハンドルの取り付け座が、筐体の開口周縁枠の段部の内側面に、また受け金具が、扉の外側面にそれぞれ面付けでき、しかも両者が、扉の閉鎖時に、段部の内側面と扉の外側面との間隙内に納まって、外部に露出しない筐体の密閉扉用ハンドル装置を提供する。
【図面の簡単な説明】
【０００７】
【図１】本発明に係る密閉扉用ハンドル装置の斜視図である。
【図２】図１の密閉扉用ハンドル装置の正面図である。
【図３】図２におけるIII−III断面図である。
【図４】図２におけるIV−IV断面図である。
【図５】図１の密閉扉用ハンドル装置の動作説明図である。
【図６】図１の密閉扉用ハンドル装置の動作説明図である。
【発明を実施するための形態】
【０００８】
図面を参照して本発明の実施の形態を説明する。
前面側に開口２２を有する筐体２１の開口周縁枠２３は、内側が後方へ落ち込んだ段部２４を有する。筐体２１の開口２２を密閉する扉２５は、閉鎖時に、周縁が開口周縁枠２３の段部２４内に納まるように構成される。
【０００９】
ハンドル装置１は、開口周縁枠２２の段部２４に取り付けられる受け金具２と、扉２５の周縁部に取り付けられる本体３とを具備する。本体３は、扉２５の閉鎖時に受け金具２に対して係合離脱自在に対向する。
【００１０】
受け金具２は、基板４、係合ローラ５、当接片６を具備し、筐体の段部２４の内側面２４ａと閉鎖状態の扉２５の外側面２５ａとの間隙２６（図２）内に納まるように配置される。基板４は、段部２４の内側面２４ａに固着される。係合ローラ５の支持軸５ａは、基板４から直角に起立する。当接片６は、基板の前縁から直角に起立し、筐体２１の前面と平行に配置される。
【００１１】
本体３は、取り付け座７とハンドル体８とを具備する。取り付け座７は、ほぼ平板状で、扉２５の周縁部の外側面２５ａに固着される。ハンドル体８は、筐体２１の前面と平行な枢軸９により、取り付け座７に枢着され、締め付け位置と解放位置の間を回動自在である。ハンドル体８は、レバー部１０と把手部１１とを具備する。
【００１２】
レバー部１０は、平板状で、鎌部１２と押し出し突部１３とを具備し、筐体２１の段部２４の内側面２４ａと閉鎖状態の扉２５の外側面２５ａとの間隙（図１）内において枢軸９を中心に回動可能である。
【００１３】
鎌部１２は、図５に示すように、ハンドル体８が締め付け方向へ回動する途上で受け金具２の係合ローラ５に係合し、相対的に係合ローラ５を引き寄せる。これにより、扉２５が筐体２１側へ引き寄せられ、パッキング２７を圧縮して、開口２２を密閉する。
【００１４】
押し出し突部１３は、図６に示すように、ハンドル体８が解放方向への回動する途上で、受け金具２の当接片６を押し、相対的に当接片６を押し離す。これにより、筐体２１内が負圧になっている場合等においても、容易に扉２５を開くことができる。
【００１５】
把手部１１は、レバー部１２に対して直角に屈折するほぼ平板状で、ハンドル体８の締め付け位置において、扉２５の前面にほぼ平行に近接する。把手部１１は、締め付け位置において扉２５の前面から離れる方向へ屈折する指掛け部１１ａを上縁部に具備すると共に、中央部に、指掛け用の開口１１ｂを具備する。
【００１６】
扉２５の開放は、ハンドル体８を扉２５の開放方向と同方向へ引く操作により、また閉鎖は、ハンドル体８を扉２５の閉鎖方向と同方向へ押す操作により、それぞれ円滑、かつ確実にこれを実行することができる。
【００１７】
ハンドル装置１は、把手部１１のみが扉２５の前面に露出し、他の部位はすべて筐体の開口周縁枠と扉２５との間隙２６内に納まる。
【符号の説明】
【００１８】
１    ハンドル装置
２    受け金具
３    本体
４    基板
５    係合ローラ
５ａ  支持軸
６    当接片
７    取り付け座
８    ハンドル体
９    枢軸
１０  レバー部
１１  把手部
１１ａ  指掛け部
１２  開口
１３  押し出し突部
２１  筐体
２２  開口
２３  開口周縁枠
２４  段部
２５  扉
２６  間隙
２７  パッキング
【図１】
0005462909.tif 000002
【図２】
0005462909.tif 000003
【図３】
0005462909.tif 000004
【図４】
0005462909.tif 000005
【図５】
0005462909.tif 000006
【図６】
0005462909.tif 000007